(57)【要約】  本発明の実施例は、インプリシット・フィードバックが可能であるワイヤレス局（ＳＴＡ）をワイヤレス・ローカル・エリア・ネットワーク中に提供し、それは少なくとも１つの電力増幅器、少なくとも１つの電力増幅器に接続され得る複数のアンテナ、および、複数のアンテナと１つの電力増幅器との間の接続を切り替えることのできるスイッチを含み、それにより、ワイヤレス局は、ワイヤレス局（ＳＴＡ）との通信においてアクセス・ポイント（ＡＰ）のための完全なチャネル行列を報知することを可能にする。
2008523666.tif 000002
【特許請求の範囲】
【請求項１】
ワイヤレス・ローカル・エリア・ネットワーク中でインプリシット・フィードバックが可能なワイヤレス局（ＳＴＡ）において、
少なくとも１つの電力増幅器と、
前記少なくとも１つの電力増幅器に接続され得る複数のアンテナと、
前記複数のアンテナと前記少なくとも１つの電力増幅器との間の接続を切り替えることのでき、それにより、前記ワイヤレス局は、前記ワイヤレス局（ＳＴＡ）と通信中のアクセス・ポイント（ＡＰ）のために完全なチャネル行列を報知することを可能にする、スイッチと、
を含むことを特徴とするワイヤレス局（ＳＴＡ）。
【請求項２】
前記複数のアンテナは３つのアンテナであり、前記少なくとも１つの電力増幅器は２つの電力増幅器であることを特徴とする請求項１記載のワイヤレス局。
【請求項３】
前記２つの電力増幅器の第１は、前記３つのアンテナの第１のアンテナに非切り替え可能に接続され、前記２つの電力増幅器の第２は、前記３つのアンテナの第２および第３に切り替え可能に接続されることを特徴とする請求項２記載のワイヤレス局。
【請求項４】
前記電力増幅器のすべては、前記アンテナのすべてと切り替え可能に接続されることを特徴とする請求項１記載のワイヤレス局。
【請求項５】
前記電力増幅器の両方は、前記３つのアンテナすべてと切り替え可能に接続されることを特徴とする請求項２記載のワイヤレス局。
【請求項６】
前記ＡＰは、前記複数のアンテナの各々によって受信した電力を追跡し、それに従ってそれらをランク付けすることを特徴とする請求項１記載のワイヤレス局。
【請求項７】
前記追跡に基づいて、最も強いアンテナおよび最も弱いアンテナは、前記ＡＰ中で適切なレベルに自動利得制御（ＡＧＣ）を設定するためにショート・プリアンブルを送信するために使用されることを特徴とする請求項６記載のワイヤレス局。
【請求項８】
ワイヤレス・ローカル・エリア・ネットワーク中のワイヤレス局（ＳＴＡ）によってインプリシット・フィードバックを提供する方法において、
複数のアンテナと少なくとも１つの電力増幅器との間の接続を切り替えることのできるスイッチを介して、前記少なくとも１つの電力増幅器を前記複数のアンテナと関連付け、それによって、前記ワイヤレス局は、完全なチャネル行列を前記ワイヤレス局（ＳＴＡ）と通信中のアクセス・ポイント（ＡＰ）に報知する、段階、
を含むことを特徴とする方法。
【請求項９】
３つのアンテナを２つの電力増幅器に関連付ける段階をさらに含むことを特徴とする請求項８記載の方法。
【請求項１０】
前記２つの電力増幅器の第１を前記３つのアンテナの第１のアンテナに非切り替え可能に接続し、前記２つの電力増幅器の第２を前記３つのアンテナの第２および第３に切り替え可能に接続する段階をさらに含むことを特徴とする請求項９記載の方法。
【請求項１１】
前記電力増幅器のすべてを前記アンテナのすべてと切り替え可能に接続する段階をさらに含むことを特徴とする請求項８記載の方法。
【請求項１２】
前記電力増幅器の両方を前記３つのアンテナすべてと切り替え可能に接続する段階をさらに含むことを特徴とする請求項９記載の方法。
【請求項１３】
前記ＡＰによって前記複数のアンテナの各々によって受信した電力追跡し、それに従ってそれらをランク付けする段階をさらに含むことを特徴とする請求項１記載の方法。
【請求項１４】
前記追跡に基づいて、前記ＡＰ中の自動利得制御（ＡＧＣ）を設定するためにショート・プリアンブルを送信する段階をさらに含むことを特徴とする請求項１３記載の方法。
【請求項１５】
命令が格納される格納媒体からなる物品であって、コンピューティング・プラットフォームによって実行されたとき、複数のアンテナと少なくとも１つの電力増幅器との間の通信を切り替えることのできるスイッチを介して、前記少なくとも１つの電力増幅器を前記複数のアンテナと関連付けることにより、ワイヤレス・ローカル・エリア・ネットワーク中のワイヤレス局（ＳＴＡ）によるインプリシット・フィードバックを提供し、それにより前記少なくとも１つの電力増幅器は、前記ワイヤレス局（ＳＴＡ）が前記ワイヤレス局と通信中のアクセス・ポイント（ＡＰ）のために完全なチャネル行列を報知することを特徴とする物品。
【請求項１６】
前記複数のアンテナは３つのアンテナであり、前記少なくとも１つの電力増幅器は２つの電力増幅器であることを特徴とする請求項１５記載の物品。
【請求項１７】
前記２つの電力増幅器の第１は、前記３つのアンテナの第１のアンテナに非切り替え可能に接続され、前記２つの電力増幅器の第２は、前記３つのアンテナの第２および第３に切り替え可能に接続されることを特徴とする請求項１６記載の物品。
【請求項１８】
前記電力増幅器のすべては、前記アンテナのすべてと切り替え可能に接続されることを特徴とする請求項１５記載の物品。
【請求項１９】
ワイヤレス・ローカル・エリア・ネットワーク中のインプリシット・フィードバック・システムにおいて、
少なくとも１つの電力増幅器を含むワイヤレス局と、
前記少なくとも１つの電力増幅器に切り替え可能に接続され得る複数のアンテナと、
完全なチャネル行列を前記ワイヤレス局（ＳＴＡ）に報知することができるアクセス・ポイントと、
を含むことを特徴とするインプリシット・フィードバック・システム。
【請求項２０】
前記複数のアンテナは３つのアンテナであり、前記少なくとも１つの電力増幅器は２つの電力増幅器であることを特徴とする請求項１９記載のインプリシット・フィードバック・システム。
【請求項２１】
前記２つの電力増幅器の第１は、前記３つのアンテナの第１のアンテナに非切り替え可能に接続され、前記２つの電力増幅器の第２は、前記３つのアンテナの第２および第３に切り替え可能に接続されることを特徴とする請求項１９記載のインプリシット・フィードバック・システム。
【請求項２２】
前記電力増幅器のすべては、前記アンテナのすべてと切り替え可能に接続されることを特徴とする請求項１９記載のインプリシット・フィードバック・システム。
【請求項２３】
前記電力増幅器の両方は、前記アンテナのすべてと切り替え可能に接続されることを特徴とする請求項１９記載のインプリシット・フィードバック・システム。
【発明の詳細な説明】
【技術分野】
【０００１】
本発明は、ワイヤレス・ローカル・エリア・ネットワーク中の同数でない送信機および受信機のチェーンを具備する装置のためにインプリシット・フィードバックが可能なシステムおよび方法に関する。
【背景技術】
【０００２】
ワイヤレス通信は、社会全体に亘ってより速くかつより信頼のできるワイヤレス通信技術を必要とするようになってきている。この点で制限されていなかったが、このような技術の１つである８０２．１１ｎは、ＷＬＡＮ速度がデータおよび実際のスループット速度に対して少なくとも１００Ｍｂｐｓに増加するように設計されている。批准された現在の標準規格８０２．１１ａ、８０２．１１ｂおよび８０２．１１ｇと異なり、８０２．１１ｎは、物理層中の信号ビット・レートとしてよりはむしろ、ＭＡＣ（媒体アクセス制御）インターフェイスでのスループットに焦点を当てる。これは、スループット速度が可能な限り最高データ速度に一致するであろうことを意味する。この標準規格は、８０２．１１ａと共に５ＧＨｚのレンジで動作することが可能であるが、本発明はこれらの周波数範囲に制限されるものではない。
【０００３】
８０２．１１ｎで使用される１つの技術は、閉ループのマルチ入力マルチ出力（ＭＩＭＯ）のための較正およびインプリシット・フィードバック（implicit feedback）を含み、これはチャネルの相互依存性を確立するために無線キャリブレーションに依存する。しかしながら、インプリシット・フィードバックにおける現在の試みには欠点がある。
【０００４】
したがって、前述の欠点を克服するための改善されたワイヤレス通信技術に適用可能な装置、システムおよび方法に対して強い必要性が存在する。
【０００５】
本発明と考えられる主題は、特に明細書の結論部分において指摘され明確にクレームされる。しかしながら、本発明は、目的、特徴および利点とともに、動作の構成および方法の両方に関して、添付図面を参照して以下の詳細な説明を精読することによって最も良く理解されるであろう。
【０００６】
図示を単純かつ明瞭にするために、図中に示された要素は必ずしも実際の寸法に描かれていないことを認識するであろう。例えば、いくつかの要素の寸法は、明瞭にするために他の要素に比べて誇張されている。さらに、適切であると考えられる場合、参照番号は、対応または類似した要素を示すために図面間で繰り返される。
【発明の開示】
【０００７】
以下の詳細な説明では、本発明についての完全な理解を提供するために多くの特定の詳細事項が述べられる。しかしながら、本発明がこれらの特定の詳細事項がなくても実施できることを当業者は理解しているであろう。他の例では、周知の方法、手順、コンポーネント、および回路は、本発明を不明瞭にしないように詳細には説明されていない。
【０００８】
以下の詳細な説明のいくつかの部分は、コンピュータ・メモリ内のデータ・ビットまたは２進デジタル信号に対する動作のアルゴリズムおよび記号表現の観点で示されている。これらのアルゴリズムの説明および表現は、データ処理技術の当業者によって使用される技術であり、彼らの成果を他の当業者に伝えるためのものである。
【０００９】
アルゴリズムは、ここでは一般に、所望の結果に導く行為または動作の自己矛盾がない一連のシーケンスであると考えられる。これらは、物理量に対する物理的な操作を含む。通常、必然的ではないにしても、これらの量は、格納、結合、比較、および別な処理が施され得る電気的または磁気的信号の形態をとる。これらの信号をビット、値、要素、シンボル、キャラクタ、期間、数または同種のものに言及することが主に一般的な習慣上の理由から時には便宜である。しかしながら、これらおよび類似の用語がすべて適切な物理量に関係しており、またこれらの量に適用される単に便利なラベルであることを理解すべきである。
【００１０】
他に特に述べない限り、以下の議論から明らかなように、明細書全体に亘って、「処理」、「演算」、「計算」、「決定」または同種の用語を用いる議論は、コンピュータまたはコンピューティング・システム、あるいは同様の電子計算装置の行為および／または処理に関するものであり、それらはコンピューティング・システムのレジスタおよび／またはメモリ内に電子のような物理的な量に表現されたデータを、コンピューティング・システムのメモリ、レジスタ、または他の情報ストレージ内の物理的な量、伝送、あるいは表示装置に表現された同様の他のデータへ操作および／または変換する。
【００１１】
本発明の実施例は、ここに動作を行なうために装置を含む。装置は、所要の目的のために特に構築されることがある。または、それは、装置は、所望の目的のために構成され、あるいはその装置内に格納されたプログラムによって選択的に起動されたまたは再構成される汎用コンピューティング装置を含んでいてもよい。このようなプログラムは、格納媒体上に格納されるが、フロッピー（登録商標）・ディスク、光ディスク、読出専用メモリのコンパクト・ディスク（ＣＤ−ＲＯＭ）、光磁気ディスクを含むあらゆるタイプのディスク、リード・オンリ・メモリ（ＲＯＭ）、ランダム・アクセス・メモリ（ＲＡＭ）、電気的プログラム可能リード・オンリ・メモリ（ＥＰＲＯＭ）、電気的消去可能およびプログラム可能リード・オンリ・メモリ（ＥＥＰＲＯＭ）、磁気または光カード、または電気的な命令を格納するのに適していて、コンピューティング装置のためのシステム・バスに結合され得る他のタイプの媒体に格納されるが、これらに制限されることはない。
【００１２】
ここに示されたプロセスと表示は、本質的に、あらゆる特定のコンピューティング装置または他の装置とも関係していない。様々な汎用システムは、ここに示された教示に従ってプログラムと共に使用されるが、所望の方法を実行するためのより特殊な装置を構成することが便宜であることは明らかである。多種多様なこれらのシステムのための所望の構造が以下の説明から明らかになるであろう。加えて、本発明の実施例は、あらゆる特定のプログラミング言語に関しても説明されているものではない。ここに説明されるような本発明の教示を実現するために、多種多様のプログラミング言語が使用されてもよいことが認識されるであろう。さらに、ここに説明された動作、能力、機能は、あらゆるハードウェア（個別あるいは集積回路）の組合せで実現できることを理解すべきである。
【００１３】
「結合された」、「接続された」という用語がそれらの派生語と共に使用される。これらの用語は、互いに同義語として意図されていないことを理解すべきである。むしろ、特定の実施例では、「接続された」は、２またはそれ以上の要素が直接物理的または電気的に互いに接触していることを示すために使用され得る。「結合された」は、２またはそれ以上の要素が他と直接または間接（それらの間に介在する他の要素で）に物理的または電気的接触のいずれかにあるか、および／または、２またはそれ以上の要素が他と協働または相互作用（例えば、原因結果の関係）にあることを示すために用いられてもよい。
【００１４】
本発明の実施例は、多種多様のアプリケーションに使用され得ることを理解すべきである。本発明はこの点に制限されることはないが、ここに示された装置は、無線システムの送信機および受信機中のような多くの装置中で使用されてもよい。無線システムは、本発明の範囲内に含まれるものと意図されるが、例として、セルラー無線電話通信システム、衛星通信システム、双方向無線通信システム、単方向ページャ、双方向ページャ、パーソナル通信システム（ＰＣＳ）、個人向け携帯型情報機器（ＰＤＡ）、ワイヤレス・ローカル・エリア・ネットワーク（ＷＬＡＮ）、パーソナル・エリア・ネットワーク（ＰＡＮ、および同種のネットワーク）を含む。
【００１５】
マルチ入力マルチ出力（ＭＩＭＯ）アンテナ技術は、高スループットの８０２．１１ｎおよび８０２．１６ｄ標準規格ＩＥＥＥに対して有望な候補である。これらの標準規格は、本発明の範囲以内にあると意図される多くのワイヤレス通信技術の単に２であること理解され、また、ここに図示されたあらゆる標準規格も、本発明の利用による効果を得ることができる技術を単に示すものと意図されている。
【００１６】
８０２．１１ｎの標準規格グループは、必須型開ループＭＩＭＯシステムに対して際立った長所を有する閉ループＭＩＭＯ技術に作業を続けている。「インプリシット・」フィードバックは、チャネルの相互依存性を確立するために無線キャリブレーションに依存するが、８０２．１１ｎワイヤレス通信の標準規格に使用されてもよく、キャリブレーションを要求する。この方法は、ワイヤレス局（ＳＴＡ）側に潜在的な低コストという長所を有する。
【００１７】
本発明の実施例では、２つのスイッチ・スキーム、および、２ｘ３ＭＩＭＯシステムに対するＡＧＣ（自動利得制御）設定およびチャネル・トレーニングのために使用される関連するショートおよびロング・プリアンブル構造が説明される。しかしながら、２ｘ３システムがここに例示として挙げられるが、本発明の原理および体系は様々なシステムで利用することができ、同数でない送信機と受信機のチェーンを具備する他のＭＩＭＯシステムに拡張することができると理解され、そのすべては本発明の範囲内にあると意図される。２ｘ３は、ＭＩＭＯの空間多重化のレンジを拡大する非常に普及したスキームであるので、これらのスキームは、２ｘ３システムのレンジをさらに拡大するインプリシット・フィードバックの閉ループＭＩＭＯをサポートするために利用されてもよい。
【００１８】
本発明の実施例では、少なくとも２ｘ２ＭＩＭＯが基盤として提供されてもよい。本発明の実施例では、さらに２ｘ３システムが同様に提供されるが、この点に制限されることはない。この表記法は、装置上に２つの送信チェーンと３つの受信チェーンを示し、２ｘ３スキームは多くのスキームの１つであり、例示目的のためだけにここに提供されていると理解されるべきである。２ｘ３は、２ｘ２チャネル行列に比べてよりよい固有値配分を有することが注目されるが、さらに長距離に亘って多重化モードを使用可能にする。
【００１９】
本発明の実施例中に、および上述されたように、このような２ｘ３システムに現在２つの問題があるが、この点に制限されることはなく、本発明は、それらを緩和するスキームを明瞭に表現する。チャネル相互依存性はそのような問題の１つである。閉ループＭＩＭＯは、チャネル状態情報（ＣＳＩ）を送信機に送り返す。ＣＳＩに基づいて、送信機は、空間ビームを形成し、それは送信および受信アンテナの数に依存する４−１０デシベルの有利さを与える。無線機が適切にキャリブレートされるとき、「インプリシット」・フィードバックはチャネル相互性を利用するが、それはダウンリンク・チャネルがアップリンク・チャネルの移調であると言うことである。したがって、ＣＳＩは、「明示的に」送り返すことを必要とされない。すなわち、それは逆方向のやり取りから評価することができる。
【００２０】
図１は、１００として一般に示される本発明の実施例に係るデータ交換のためのプロトコルを図示する。本発明の実施例において、ＡＰ  １０５は、データ・パケットをＳＴＡ１１０に送る必要があると仮定する。媒体がアイドルであるとき、ＡＰ１０５は送信要求（ＲＴＳ）１１５パケットを送る。ＡＰ１０５にアップリンク・チャネルを獲得させるために、ＳＴＡ１１０はチャネル報知パケット１２０で受信準備完了（ＣＴＳ）を送り返す。その相互依存性から、ＡＰ１０５もまたダウンリンク・チャネルを獲得し、続いてビーム形成１２５を備えるＤＡＴＡを送る。ＳＴＡ１１０は、１３０でＡＣＫを返送する。
【００２１】
しかしながら、２ｘ３システムの場合には、相互性が保持されていない。これを図示するために、図２示されるように、ＡＰが４つの送信及び受信チェーンを有し、ＳＴＡが２つの送信および受信チェーンを有すると仮定し、ＳＴＡ２１０はチャネル２８０を報知し、一般に２００で、ＡＰ２０５は４ｘ２アップリンク・チャネル行列を獲得すると示す。２１５−２５０は、４つの送信および受信チェーンを具備するＡＰ側を示し、２５５−２７５は、ＳＴＡ２および３つの受信チェーンを示す。
【００２２】
図３の３００で、ダウンリンクを示す。ＳＴＡ３１０で示されるようにチャネル３８０は、３ｘ４チャネル行列である。本発明の実施例は、ＡＰ３０５のために完全なチャネル行列を報知するために第３のＳＴＡアンテナ３７５への電力増幅器を切り替えるＲＦスイッチを加える。３１５−３５０は、４つの送信および受信チェーンを具備するＡＰ側を示し、３５５−３７５は、ＳＴＡ３および４つの受信チェーンを示す。
【００２３】
本発明の実施例は、ＡＧＣ（自動利得制御）レベルの設定およびチャネル状態測定を提供する。現代のほとんどの受信機は、−９０ｄＢｍと−２０ｄＢｍとの間の入力信号電力を扱うことができる。典型的な８ビットのＡＤＣ（アナログ・デジタル変換器）は、全スケールを分解するための十分なダイナミック・レンジを有していない。フロント・エンドＡＧＣは、ゲイン・レベルを設定するために必須であり、その平均ベースバンド信号は、最大精度に対して適切なＡＤＣレンジ内にある。ショート・プリアンブルは、受信機が適切なＡＧＣ設定を選ぶために用いられてもよい。ロング・プリアンブルは、チャネル状態測定に使用されてもよい。
【００２４】
以下は、次の３ｘ３システムでのプロセスを図示する。図４は、４００で一般に、ＭＩＭＯパケット・ヘッダ中のショート４１５、およびロング４２０，４２５，４３０のプリアンブル・フォーマットを周波数４０５対時間４１０として図示する。このシステムは、３つの送信および受信チェーンを有する。異なるグレイスケールまたは色は、異なるアンテナ（つまり、一実施例中の第１、第２および第３アンテナ）を表示する。煩雑さを抑えるために６個のトーンだけが図面中で示されるが、しかしながら、８０２．１１ａ／ｇ標準規格のような典型的な使用では、５２個のトーンがあり、本発明は特定のトーン数に制限されることはない。
【００２５】
図１のＳＴＡ１２５がＣＴＳパケットに１２０を送信するとき、ＡＰ１０５は、アップリンク・チャネル行列を正確に測定する必要がある。その測定は、図４に示されるパケットのショートおよびロング・プリアンブル部分で行われる。典型的な実施例中では、ＡＰは４ｘ４システムであるが、これに制限されることはない。
【００２６】
ショート・プリアンブルでは、すべてアンテナとトーンは、ＡＰのＡＧＣが精度を最大限にするために最も適切なゲイン・レベルに取りかかれるように、オンである。次の３つのロング・プリアンブルは、すべてのトーンのために４ｘ３チャネルの行列をトレーニングする。各タイム・スロットでインタリービングするトーンは、平均電力が平均に近い状態にあることを確かめるために使用される。太い線は、総出力電力に同じにするために各トーン中の３つのより高い電力の係数を示す。
【００２７】
ＳＴＡが２ｘ３システムの場合、図４で示されるスキームは、第３の送信機の不足によりうまくいかない。本発明の別の実施例では、この問題を緩和するインタリービング・スキームが提供される。２ｘ３システムについては、本発明は、第３のアンテナを電力増幅器（ＰＡ）に接続するために、特別のスイッチを使用し、それによりチャネル相互依存性がインプリシット・フィードバック中で用いられる。さらに、このシステムと通信する装置によるチャネル状態測定を促進させるためのショート・プリアンブルおよびロング・プリアンブル・フォーマットが提供される。
【００２８】
本発明の一実施例である第１のスイッチ配置が図５に一般に５００で示され、ここで示された、１つのＰＡ５５５は第１のアンテナ５７０を駆動し、別のＰＡ５６０は１つのｘ２スイッチ（ＳＰＤＴ）を通って他の２つのアンテナ５７５，５８０交互に駆動する。ＳＴＡ５１０側の受信チェーンは図面を単純化するために省略されている。送信および受信アンテナは５１５−５５０であり、ＡＰ５０５のＰＡはチャネル５６５とともに示される。
【００２９】
さて図６に移り、３つのアンテナ６７０，６７５，６８０のいずれか２つを２つのＰＡ６５５，６６０に接続する２ｘ３スイッチ６１２を使用する別のスイッチ・スキームを６００で一般に図示する。そのチャネルは６６５で一般に示され、送信および受信アンテナ、および、ＡＰ５０５のＰＡは、５１５−６５０で一般に示される。
【００３０】
さて図７を参照して、７００は周波数７０５対時間７１０として一般に示され、ショート・プリアンブル７１５、および、ロング・プリアンブル７２０，７２５，７３０が、「２ｘ３」スイッチ・スキームに従って設計されている。まず、本システムは、各アンテナによってＡＰから受信した前のパケット中の電力を追跡保持し、次に、それに従ってそれらをランク付ける。相互依存性から、最大の電力を受信するアンテナはＡＰにより強く現れる。したがって、最も強いアンテナ、および、最も弱いアンテナは、ＡＰ中のＡＧＣを適切なレベルに設定するためにショート・プリアンブル送るために使用される。
【００３１】
さて図８に移って、グレイスケールは、アンテナ２，３のより強いものを表わす。さらに、対のアンテナ、１、２および３中のより強いものが、ロング・プリアンブル８２０，８２５のために選択される。別のアンテナがロング・プリアンブル８３０のために選択され、その結果すべてのトーンおよびアンテナが一度かつ一度だけ訓練される。太い線は、放射された全電力が一定であるように、各トーン中の２つのより高い電力の係数を示すが、本発明はこの点に制限されない。
【００３２】
図４に略図されたスイッチ・スキームＡは、アンテナ１のみを駆動する１つのＰＡを有している図５ほど柔軟性はない。別のＰＡは、アンテナ２または３のいずれかを駆動する。ショート・プリアンブル８１５は、アンテナ１、および、アンテナ２およびアンテナ３の中でより強いアンテナを使用して送信される。ロング・プリアンブル８２０，８２５，８３０は、あたかも２つのアンテナ方式かのように、トーン・インタリービング・スキームで送信される。第３のロング・プリアンブルは、第３のアンテナに切り替えられたＰＡで送られる。
【００３３】
本発明のある特徴がここに図示され説明される一方、多くの修正、代替、変更および均等が当業者には想起されるであろう。添付の請求項は、本発明の思想内に包含されるように、このような修正および変更をすべてカバーするものとして意図されていることが理解されるであろう。
【図面の簡単な説明】
【００３４】
【図１】本発明の実施例におけるデータ交換のためのプロトコルを図示する。
【図２】本発明の実施例において、どのようにワイヤレス局（ＳＴＡ）がチャネルを報知し、アクセス・ポイント（ＡＰ）が、４ｘ２アップリンク・チャネル行列を獲得するかを描く。
【図３】ダウンリンク中の３ｘ４チャネル行列でＳＴＡによって見られるチャネルを描く。
【図４】システムが３つの送信および受信チェーンを有する場合における、ＭＩＭＯパケット・ヘッダ中のショートおよびロング・プリアンブルのフォーマットを描く。
【図５】１＋１ｘ２スイッチ・スキームを図示する。
【図６】３つのアンテナのいずれか２つを２つのＰＡに接続する２ｘ３のスイッチ・スキームを図示する。
【図７】図６の「２ｘ３」スイッチのためのプリアンブルを描く。
【図８】図５の「１＋１ｘ２」スイッチ・スキームのためのプリアンブルを描く。
【図１】
2008523666.tif 000003
【図２】
2008523666.tif 000004
【図３】
2008523666.tif 000005
【図４】
2008523666.tif 000006
【図５】
2008523666.tif 000007
【図６】
2008523666.tif 000008
【図７】
2008523666.tif 000009
【図８】
2008523666.tif 000010
【国際調査報告】
2008523666.tif 000011
2008523666.tif 000012
2008523666.tif 000013